(57)【要約】【課題】マウス操作を中心に作業を行う場合でも操作がしやすい写真プリントシステム用制御装置を提供する。【解決手段】写真プリントシステムは、写真フイルムスキャナ，制御装置及びプリンタからなる。制御装置は、スキャナから取り込まれた画像データに対して画像処理を施す画像処理を実行するとともに、システムの各部を制御する。制御装置は、操作画面を表示するディスプレイを備えており、オペレータは、この操作画面を通じてシステムを操作する。操作画面には、特定の機能が割り当てられる複数のファンクションボタン８８ａ〜８８ｆが設けられている。各ファンクションボタン８８ａ〜８８ｆは、各ボタン毎に複数の機能の割り当てが可能である。ファンクションボタン８８ａ〜８８ｆの横には、切り替えボタン８９が設けられており、このボタン８９をクリックすることで機能が切り替えられる。【選択図】　　　　図１２
2004112690.tif 000002
【特許請求の範囲】
【請求項１】
画像取り込み装置と、この画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、
前記操作画面には、特定の機能が割り当てられた複数の専用ボタンが設けられており、これら各専用ボタンに割り当てられる機能を変更できるようにしたことを特徴とする写真プリントシステム用制御装置。
【請求項２】
画像取り込み装置と、この画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、
前記操作画面には、特定の機能が割り当てられた複数の専用ボタンが設けられており、これら各専用ボタン毎に異なる種類の複数の機能を割り当て可能にするとともに、前記操作画面に、前記複数の機能を選択的に切り替える切り替えボタンを設けたことを特徴とする写真プリントシステム用制御装置。
【発明の詳細な説明】
【０００１】
【発明の属する技術分野】
本発明は、取り込んだ画像をプリントする写真プリントシステムに用いられる制御装置に関するものであり、更に詳しくはディスプレイに表示される操作画面に関するものである。
【０００２】
【従来の技術】
写真フイルムに記録された複数のコマ画像を光電的に読み取ってデジタルデータとして出力するフイルムスキャナと、このフイルムスキャナから取り込まれたデジタルデータに対して種々の画像処理を施して、プリント用の画像データを得る画像処理装置と、前記プリント用の画像データに基づいて記録材料に前記コマ画像をプリントするプリンタとからなる写真プリントシステムが知られている（例えば、特許文献１，２，３）。
【０００３】
この写真プリントシステムは、操作画面を表示するディスプレイを備えた制御装置によって統括的に制御される。操作画面は、例えば、システムの点検作業、プリント作業などの各作業毎に設けられたプリント作業画面，点検作業画面などの複数の作業画面から構成されている。プリント作業は、写真フイルムからのコマ画像の読み取り、読み取ったコマ画像に対する各種処理条件の設定、設定した処理条件に基づくプリント処理などの一連の作業をいう。オペレータは、作業画面を見ながらこれらの作業を行う。
【０００４】
プリント作業画面は、最大６つのコマ画像を並べて表示可能な検定画面などから構成される。写真フイルムをプレスキャンすると、この検定画面にコマ画像が表示される。オペレータは、検定画面で、注文情報の設定や、各コマ画像毎の画像処理条件及びプリント条件等の設定を行う。検定画面には、その画面内に、画像回転やシャープネス調整などプリント作業において頻繁に使用されると思われる特定の機能が予め割り当てられた複数のファンクションボタンが設けられている（例えば、特許文献２の図９参照）。割り当てられる機能は、メーカーによって選択され、製造時に割り当てられる。これらファンクションボタンの数や配列は、キーボードに設けられたファンクションキーに対応している。オペレータは、これらファンクションボタンやファンクションキーを使用することで、特定の操作指示を簡単に行うことができる。
【０００５】
【特許文献１】
特開２０００−０１２４１６号公報
【特許文献２】
特開２００２−２１８２１７号公報
【特許文献３】
特開２００２−２１８２１８号公報
【０００６】
【発明が解決しようとする課題】
しかしながら、上記ファンクションボタンは、予め割り当てられた機能をユーザーが自由に変更することができない。写真プリントシステムが設置される店舗や、個々のオペレータ等によって、頻繁に使用される機能が異なる場合もあり、前記ファンクションボタンの機能をユーザーが自由に選択できるようにしたいという要望も多い。
【０００７】
また、プリント作業において設定しなければならない項目は、注文情報、各コマ画像毎の画像処理条件及びプリント条件、各コマ画像に共通した処理条件など多岐にわたる。このため、ファンクションボタンは、各ボタン毎に、第１及び第２の２つの機能が割り当て可能になっており、これら各機能の切り替えをキーボードのシフトキーによって行われるようにしていた。しかし、シフトキーによって切り替えを行う場合、第２の機能は、シフトキーを押下した状態で使用しなければならず、マウス操作を中心に作業を行う場合には、使いづらいという問題があった。
【０００８】
本発明は、操作画面内に設けられるファンクションボタンに割り当てられる機能をユーザーがカスタマイズできる写真プリントシステム用制御装置を提供することを目的とする。
【０００９】
また、本発明の別の目的は、マウス操作を中心に作業を行う場合でも操作がしやすい写真プリントシステム用制御装置を提供することである。
【００１０】
【課題を解決するための手段】
前記目的を達成するために、本発明の写真プリントシステム用制御装置は、画像取り込み装置と、この画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、前記操作画面には、特定の機能が割り当てられた複数の専用ボタンが設けられており、これら各専用ボタンに割り当てられる機能を変更できるようにしたことを特徴とする。
【００１１】
本発明の別の写真プリントシステム用制御装置は、画像取り込み装置と、この画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、前記操作画面には、特定の機能が割り当てられた複数の専用ボタンが設けられており、これら各専用ボタン毎に異なる種類の複数の機能を割り当て可能にするとともに、前記操作画面に、前記複数の機能を選択的に切り替える切り替えボタンを設けたことを特徴とする。
【００１２】
【発明の実施の形態】
図１に示す写真プリントシステム２は、写真フイルムスキャナ３、制御装置４、レーザプリンタ５、及びプロセサ６を含んで構成されている。制御装置４は、システム全体を統括的に制御するとともに、画像処理部７を備えており、写真フイルムスキャナ３から取り込んだ複数のコマ画像に対して画像処理を施し、出力用の画像データを得る画像処理装置としても機能する。写真フイルムスキャナ３及び制御装置４は入力機８を構成しており、レーザプリンタ５及びプロセサ６は出力機９を構成する。
【００１３】
写真フイルムスキャナ３は、写真フイルムの幅方向に沿ったラインＣＣＤを備えており、写真フイルムとラインＣＣＤとを相対移動させてコマ画像を読み取るラインＣＣＤスキャナである。写真フイルムスキャナ３は、フイルムキャリアにセットされた写真フイルムから複数のコマ画像を読み取る。この読み取り信号はＡ／Ｄコンバータによりデジタルデータ化され、この写真画像データが制御装置４に取り込まれる。
【００１４】
写真フイルムスキャナ３は、ディスプレイ表示用の画像データ（表示用画像データ）を得るためのプレスキャンと、この表示用画像データよりも解像度が高いプリンタへ出力される出力用画像データを得るためのファインスキャンとを行う。
【００１５】
レーザプリンタ５は、出力用画像データに基づいてカラーペーパに対して主走査方向に走査露光をし潜像を記録するレーザー露光ユニットと、カラーペーパを副走査方向に搬送する搬送手段と，カラーペーパを収納する給紙マガジンとからなる。レーザー露光ユニットは、周知のように、Ｒ，Ｇ，Ｂの各レーザー発光部，ポリゴンミラー，Ｆθレンズ，反射ミラーなどをユニット化したものである。プロセサ６は、潜像が記録されたカラーペーパに対して現像処理を行う。これにより、コマ画像がプリントされた写真プリントが得られる。
【００１６】
図２に示すように、制御装置４は、システムコントローラ１１，画像処理部１２，ストレージ１３，画像メモリ１４，表示用メモリ１６，操作部１７及びディスプレイ１８から構成されている。
【００１７】
システムコントローラ１１は、ＣＰＵ，ＲＯＭ，ＲＡＭなどから構成されており、操作部１７から入力された操作コマンドに従って、システム各部を制御するとともに、画像処理部１２を制御して各種の画像処理を実行させる。画像メモリ１４は、写真フイルムスキャナ３から読み取られた写真画像のデータを一時的に記憶するフレームメモリである。画像処理部１２は、この写真画像に対して色補正，濃度補正，ソフトフォーカス処理など各種の画像補正処理や、予め用意されたテンプレート画像とコマ画像とを合成する画像合成処理などの各種画像処理を施す。表示用メモリ１６は、コマ画像や操作画面などをディスプレイ１８に出力する際に使用される。
【００１８】
ストレージ１３には、オペレーティングシステム、写真フイルムスキャナ３や出力機９を制御する制御プログラム、画像処理を行う画像処理アプリケーションなどの各種プログラムの他、画像合成用の各種テンプレートデータや各種設定情報を記憶する情報ファイルなどが記憶される。システムコントローラ１１は、プログラムをストレージ１３からＲＡＭにロードしてプログラムに記述された処理ステップを実行する。
【００１９】
制御装置４はＧＵＩ（Ｇｒａｐｈｉｃａｌ　Ｕｓｅｒ　Ｉｎｔｅｒｆａｃｅ）を採用しており、システムコントローラ１１に対する操作コマンドは、ディスプレイ１８に表示された操作画面を通じて操作部１７から入力される。操作部１７は、キーボード２１とマウス２２とからなる。オペレータは、操作画面を見ながら、操作部１７を操作することで、システムコントローラ１１に対して指示が与えられる。
【００２０】
図３は、操作画面の構成図である。操作画面は、初期画面と作業画面とから構成される。作業画面は、始業点検作業，プリント作業，終業点検作業，保守作業の各作業のそれぞれに対応した、始業点検画面，プリント作業画面，終業点検画面，保守作業画面の複数の画面から構成される。
【００２１】
図４に示すように、初期画面３１は、写真プリントシステム２を起動したときに表示される画面である。この初期画面３１には、各作業項目を選択するための作業メニューを表示する作業メニュー領域３２が設けられており、この作業メニュー領域３２には、始業点検作業，プリント作業，終業点検作業，保守作業の各作業を選択するための複数の作業選択ボタン３２ａ，３２ｂ，３２ｃ，３２ｄが設けられている。各作業選択ボタン３２ａ〜３２ｄ上には、例えば、それぞれの作業名が表示される。所望の作業選択ボタンに、マウス２２のポインタ２４を合わせてクリックすると、それに対応する作業画面に移行する。もちろん、マウス２２操作による他、例えば、キーボードに配置されたキーの操作によって、作業選択ができるようにしてもよい。
【００２２】
また、初期画面３１の下方には、システム情報バー３３が設けられている。このシステム情報バー３３は、主として、システムに関わる情報の表示や、それらの設定を行うための操作ボタンが設けられる領域である。システムに関わる情報としては、例えば、プリンタにセットされているペーパの幅や、写真フイルムスキャナ３で選択されているマスク種の種類や、選択されているフイルムの送り方式に関する情報などがある。
【００２３】
ステータスボタン３３ａは、システムのステータスの表示や、写真フイルムスキャナ３，レーザプリンタ５，プロセッサ６などの動作を強制的に開始又は停止する際に使用される。このシステム情報バー３３は、すべての作業画面とともに表示されるが、時宜に応じてそこに表示される操作ボタンや情報の内容は切り替わる。初期画面３１が表示されている場合には、システム情報バー３３には、ステータスボタン３３ａ、レーザプリンタ５にセットされているペーパ幅、ペーパ巻き戻しボタン３３ｂが表示される。ペーパ幅は、ペーパ巻き戻しボタン３３ｂの上方に表示される。
【００２４】
初期画面３１で、作業選択ボタン３２ａをクリックすると、図５に示す始業点検画面４１に移行する。始業点検画面４１にも、初期画面３１と同様に、作業メニュー領域３２が設けられており、この画面から各作業項目を選択できるようにしている。選択された作業選択ボタン３２ａは、グレイアウトされて、他の作業選択ボタン３２ａと識別可能に表示される。これにより、現在選択されている作業が何であるかを一目で確認することができる。
【００２５】
作業メニュー領域３２の下には、始業点検作業の流れを示すフロー表示領域４２が設けられている。始業点検作業は、写真フイルムスキャナ３の各部の清掃（光源，拡散ボックス，フイルムキャリアなど），光源の光量ムラなどを補正するためのスキャナ補正，プロセッサ温度の確認，プリンタの色バランスを調整するコントロールストリップ処理，プリント濃度の測定と補正を行うプリント条件維持処理の各工程からなる。
【００２６】
フロー表示領域４２には、始業点検作業の各工程に対応した６つのボタン４２ａ〜４２ｆが設けられており、これらの各ボタン４２〜４２ｆは、作業を進める順番に配列されている。これにより、オペレータは、始業点検の作業フローを把握することができる。
【００２７】
また、各ボタン４２ａ〜４２ｆをクリックすると、フロー表示領域４２の下に、各工程の作業手順を示すイラストや説明が表示される。クリックされたボタンは、グレイアウトして表示されるので、これにより現在どの工程のマニュアルが表示されているかを確認することができる。イラストや説明書きの続きがある場合には、次ページボタンをクリックすると、ページが切り替わる。このように、ディスプレイ１８上に作業手順の内容を表示したので、作業手順書などのマニュアルを開く手間が省けて、便利である。ＯＫボタン４３をクリックすると、表示内容が次工程に切り替わる。終了ボタン４２ｇをクリックすると、始業点検画面４１が終了して、初期画面３１に復帰する。始業点検作業を省略して、プリント作業を開始することもできるが、始業点検作業の工程のうち、スキャナ補正だけは必ず行う必要があるので、その場合には、スキャナ補正が自動的に実行される。
【００２８】
図６は、終業点検画面５１を示す。終業点検作業は、スキャナの磁気ヘッドの清掃，プロセッサの廃液の回収，機械周囲の清掃，プリント作業結果の表示，次回起動タイマーの確認の各工程からなる。終業点検画面５１にも、始業点検画面４１と同様に、フロー表示領域５２が設けられており、このフロー表示領域５２には、終業点検の各工程に対応した５つのボタン５２ａ〜５２ｅが設けられており、作業フローが一目でわかるようになっている。また、各ボタン５２ａ〜５２ｅをクリックすると、作業内容を示すイラストや説明書きが表示される。システム終了ボタン５２ｆをクリックすると、システムがシャットダウンされる。
【００２９】
プリント作業画面は、図７に示すサービス種選択画面６１，図８〜１０に示す注文情報設定画面７１，図１３に示す検定画面９１からなる。プリント作業を開始する際には、オペレータは、初期画面３１や始業点検画面４１から、作業メニュー領域３２の作業選択ボタン３２ｂをクリックする。これにより、サービス種選択画面６１へ移行する。サービス種選択画面６１は、写真プリントシステム２が提供するサービスの種類を選択する画面である。サービスとしては、例えば、「フイルムからのプリント」サービス，「合成プリント」サービス，「画像ファイルからのプリント」サービス，「画像ファイルとしてデータ出力」サービス，「データ出力とプリント」がある。
【００３０】
「フイルムからのプリント」サービスは、写真フイルムからコマ画像を取り込んで、そのコマ画像をカラーペーパにプリントすることで写真プリントを作成するサービスである。「合成プリント」サービスは、取り込んだコマ画像と予め用意されたテンプレートとを合成して合成画像を作成するサービスである。
【００３１】
テンプレートとしては、クリスマスカード，年賀状，誕生日のメッセージカードなどを作成するためのテンプレートや、カレンダー作成用のテンプレートなどの各種のものが用意されている。「画像ファイルからのプリント」サービスは、デジタルカメラで撮影した撮影画像を記憶するメモリーカードや、ＣＤ（Ｃｏｍｐａｃｔ　Ｄｉｓｋ）などの記憶メディアから画像ファイルを取り込み、その写真プリントを作成するサービスである。「画像ファイルとしてデータ出力」は、写真フイルムから読み取った画像データに基づいて、記憶メディアに出力するための出力用画像データ（画像ファイル）を作成し、これをＣＤなどの記憶メディアに記録するサービスである。「データ出力とプリント」サービスは、写真フイルムから読み取った画像データに基づいて、写真プリントの作成と、画像ファイルの出力の両方を行うサービスである。
【００３２】
作業メニュー領域３２の下には、上記各サービスに対応した複数のサービス選択ボタン６２ａ〜６２ｅが設けられる。オペレータは、これらのボタン６２ａ〜６２ｅをクリックして所望のサービスを選択する。
【００３３】
「フイルムからのプリント」サービスを選択する場合には、サービス選択ボタン６２ｅをクリックする。すると、図８に示す注文情報設定画面７１へ移行する。プリント作業は、注文単位で行われるので、注文情報設定画面７１の上部には、オーダー番号表示部７２が設けられており、オペレータが現在作業しているオーダーを確認できるようにしている。
【００３４】
注文情報設定画面７１は、注文情報と、１つの注文単位で取り込まれた複数のコマ画像に共通な処理条件とからなる共通情報を設定する共通情報設定画面である。注文情報としては、プリント枚数，プリントサイズ，カラーペーパの裏面に日付やオーダー番号などの文字情報を印字する裏印字（バックプリント）などの設定がある。共通な処理条件としては、スキャナー条件，画像処理条件，プリント条件などがあり、この画面で設定された処理条件は、後述する検定画面において各コマ毎に設定が変更されない限り、１オーダー内のすべてのコマ画像に適用される。
【００３５】
メイン領域７３には、図に示す注文入力画面７４，図９に示す第１の処理設定画面７５，図１０に示す第２の処理設定画面７６の３つのサブ画面が選択的に表示される。これら３つのサブ画面は、各画面に対応したタブ７４ａ，７５ａ，７６ａをクリックすることで切り替えられる。上記注文情報や、共通な処理条件は、これらのサブ画面で設定される。
【００３６】
注文入力画面７４は、入力情報領域７８と、出力情報領域７９とに区画されている。入力情報領域７８には、写真フイルムの種別を設定するフイルム種別設定ボタン７８ａが設けられている。ボタン７８ａを押すと、カラーネガフイルム，リバーサルフイルム，モノクロフイルムなどのフイルム種別が表示された選択ボックスが表示され、その選択ボックスでいずれかのフイルムを選択することにより設定が行われる。選択されたフイルム種別は、例えば、ボタン７８ａの上やその近傍に表示される。
【００３７】
出力情報領域７９には、プリントサイズを設定するプリントサイズ設定ボタン７９ａ，インデックスプリントの有無や、そのプリントにロゴマークを入れるか入れないかを設定するインデックスプリント設定ボタン７９ｂ，バックプリントをするかしないかを設定するバックプリント設定ボタン７９ｃ，プリント枚数を指定するボックス７９ｄが設けられている。ボタン７９ａ〜７９ｃをクリックすると、ボタン７９ａと同様に、選択ボックスが表示され、その選択ボックスで設定を行う。ボックス７９ｄには、枚数表示部の下方の上下の矢印が設けられており、これをクリックして枚数を指定する。
【００３８】
図９に示す第１の処理設定画面７５と、図１０に示す第２の処理設定画面では、画像処理条件，プリント条件，スキャナ条件，フロントプリントの各条件が設定される。画像処理条件設定領域８１，８２には、キズ消し，赤目／ソフトフォーカス／クロスフイルタ仕上げ，モノトーン仕上げ、ＲＰ調仕上げの各処理の設定をする各ボタン８１ａ，８１ｂ，８２ａ，８２ｂが設けられている。キズ消しの設定では、キズ消し処理をするかしないかの設定と、する場合には、その強度（例えば、弱，標準，強）の設定を行う。
【００３９】
赤目／ソフトフォーカス／クロスフイルタ仕上げでは、赤目補正処理，ソフトフォーカス処理，クロスフイルタ処理の各処理をするかしないかを設定する。ここで、クロスフイルタ仕上げとは、画面上の輝点にクロス（十字）光を挿入する装飾処理をいう。モノトーン仕上げは、カラーフイルムから読み取ったカラー画像を、セピアやモノクロームなどのモノトーンに仕上げる処理をいう。ＲＰ調仕上げは、リバーサルフイルムから写真プリントを作成した場合のような質感に仕上げる処理をいう。
【００４０】
プリント条件設定領域８３の各ボタン８３ａ，８３ｂは、特殊フイルムチャンネルや、仕上がり条件の各設定を行う。特殊フイルムチャンネルとは、白黒調やセピア調などの特殊フイルムを使用した場合に設定されるプリント条件である。仕上がり条件の設定とは、露光条件や画像補正条件などが予め設定されたファイルを選択することをいう。仕上がり条件ファイルは、ユーザーが任意に作成することもできるが、ユーザーが作成したファイルが無い場合には、デフォルトの条件ファイルが選択される。
【００４１】
スキャナ条件設定領域８４の各ボタン８４ａ，８４ｂ，８４ｃは、フイルム送り方式や、マスク設定及びＡＦ（オートフォーカス）設定を行う。フイルム送り方式では、「全自動」で送るか、「半自動」で送るかを設定する。写真フイルムスキャナ３は、フイルムカートリッジから、写真フイルムを引き出しながらフイルム１本分のコマのプレスキャンをまとめて行う。プレスキャンされたコマ画像は、後述する検定画面で６コマずつ表示される。その後、写真フイルムのカートリッジへの巻き戻しをしながら６コマずつファインスキャンがなされる。
【００４２】
「全自動」を指定すると、６コマずつのファインスキャンが所定間隔で全コマ分自動的に行われる。「半自動」を指定すると、６コマのファインスキャンが終了すると写真フイルムの送りが一時停止され、オペレータからの指示（例えば、キーボードのエンターキーを押下する）を待って、次の６コマのファインスキャンが開始される。通常は、オペレータが検定画面において６コマ毎に検定作業を行うために、「半自動」が選択される。
【００４３】
マスク設定では、コマの読み取り範囲を規定するマスクを設定する。ＡＦ設定では、スキャナのＡＦ調整を各コマ毎に行うかどうかなどＡＦ調整のタイミングを設定する。フロントプリント設定領域８５の各ボタン８５ａ，８６ｂは、カラーペーパーの表面に、日付、時刻、タイトルなどを記録するかどうかの設定を行う。
【００４４】
メインウインドウ７３の下方には、６つのファンクションボタン８８ａ，８８ｂ，８８ｃ，８８ｄ，８８ｅ，８８ｆが設けられている。これらファンクションボタン８８ａ〜８８ｆは、キーボード２１上のファンクションキーＦ１〜Ｆ６（図示せず）と対応しており、各ファンクションキーＦ１〜Ｆ６の並びに従って配列されている。
【００４５】
ファンクションキーＦ１〜Ｆ６は、周知のように、特定の機能を割り当てることができる専用キーであり、各ファンクションボタン８８ａ〜８８ｆも、各ファンクションキーＦ１〜Ｆ６と同一の機能が割り当てられた専用ボタンである。各ファンクションボタン８８ａ〜８８ｆ上には、割り当てられた機能を表すタイトルが表示される。これらファンクションボタン８８ａ〜８８ｆに、頻繁に使用する機能や複数の項目を一括指定する機能を割り当てることで、操作性を向上させることができる。
【００４６】
図１１は、各ファンクションキー及びボタンの定義ファイルの例である。この定義ファイル８７によって、各ファンクションボタン８８ａ〜８８ｆ毎に割り当てられる機能が規定される。図の定義ファイル８７では、各ファンクションボタン８８ａ〜８８ｆ毎に、プリントサイズの指定，プリント範囲の自動認識の有無、プリント枚数，インデックスプリントの有無，フイルム送り方式（フイルムドライブ）を一括して設定できるようにしている。
【００４７】
表示名は、各ボタン８８ａ〜８８ｆ上に表示されるキャプションである。ファンクションボタン８８ａ（ファンクションキーＦ１）の表示名は、「８９混在＋ＩＸＰ」となっている。ここで、「ＩＸＰ」はインデックスプリントを意味し、他方、「８９混在」とは、８９ｍｍ幅のカラーペーパを使用するとともに、写真フイルムの各コマ毎にプリント範囲を自動的に切り替えることを意味する。周知のように、ＩＸ２４０タイプのフイルムカートリッジでは、各コマ毎にＤＸコードを記録できるようになっている。「混在」指定がなされた場合には、このＤＸコードを読み取り、コード内に記録されたプリント範囲（フルサイズ（Ｆ），パノラマサイズ（Ｐ），ハイビジョンサイズ（Ｈ））に応じて、各コマ毎にプリント範囲を特定し、そのプリント範囲に応じてカラーペーパの送り量を変えてプリントサイズを変更する。１３５タイプのフイルムカートリッジの場合には、各コマのサイズ（露光範囲）を読み取り、そのアスペクト比に応じてプリント範囲が特定される。
【００４８】
したがって、定義ファイル８７において、ファンクションボタン８８ａは、プリントサイズとして、カラーペーパの幅（８９ｍｍ）のみが指定されるとともに、プリント範囲の自動認識をする（「１」）指定となり、さらに、インデックスプリントは有り（「１」）の指定となる。また、プリント枚数は１枚で、さらに、フイルム送り方式（フイルムドライブ）は、半自動（「１」）の指定となっている。
【００４９】
ファンクションボタン８８ｂは、プリントサイズは２Ｌサイズ（１２７ｍｍ×１７８ｍｍ）、プリント枚数は１枚、インデックスプリントは無し、フイルム送り方式は「半自動」という複数の指定を一括して行うように規定される。他のファンクションボタン８８ｂ〜８８ｆも、同様に規定される。
【００５０】
また、定義ファイル８７は、テキストファイルで作成されており、ストレージ１３に書き換え可能な状態で記憶されている。このため、テキストエディタやスプレッドシートアプリケーション（表計算ソフト）などで、定義情報を簡単に変更することができる。これにより、ファンクションボタン８８ａ〜８９ｂの機能をユーザーが自由にカスタマイズすることができる。
【００５１】
さらに、これら各ファンクションボタン８８ａ〜８８ｆは、各ボタン毎に、第１及び第２の２つの機能を割り当て可能になっている。これら２つの機能は、ファンクションボタン８８ａの左横に設けられた切り替えボタン８９によって選択的に切り替えられる。
【００５２】
切り替えボタン８９は、第１機能選択ボタン８９ａと、第２機能選択ボタン８９ｂとからなり、第１機能選択ボタン８９ａをクリックすると、各ファンクションボタン８８ａ〜８８ｆが第１機能に一斉に切り替わる。第２機能選択ボタン８９ｂをクリックすると、第２機能に一斉に切り替わる。そして、他方の選択ボタンが再度クリックされない限り、その機能が選択されつづける。従来は、機能の切り替えが可能であったものの、シフトキーによって機能の切り替えなければならなかった。そして、シフトキーによる場合には、第２機能を表示させておくためには、シフトキーを押しつづけていなければならなかったため、操作がしづらいという問題があった。本例では、第２機能選択ボタン８９ｂをクリックした後、第１機能選択ボタン８９ａがクリックされない限り、第２機能が選択された状態が維持される。
【００５３】
また、各選択ボタン８９ａ，８９ｂがクリックされると、クリックされた一方のボタンがグレイアウトして表示される。これにより、どちらの機能が選択されているかを簡単に確認することができる。このように、操作画面に切り替えボタン８９を設けたことで、従来のように、キーボードのシフトキーによる機能切り替え操作が不要となるので、マウス操作を中心に作業を行う場合でも操作がしやすい。
【００５４】
図１２は、各ファンクションボタン８８ａ〜８８ｆの第１機能と第２機能とを説明する説明図である。図１２（Ａ）に示すように、注文情報設定画面７１において、第１機能が選択されているときには、各ファンクションボタン８８ａ〜８８ｆは、上述したプリントサイズ等の指定機能を持つ。他方、第２機能が選択されているときには、各ファンクションボタン８８ｃ，８８ｄ，８８ｆに、それぞれフイルム送り方式設定機能，仕上がり条件設定機能、キズ消し処理設定機能がが割り当てられる。これら各ファンクションボタン８８ｃ，８８ｄ，８８ｆは、図９に示す第１の処理設定画面７５の各ボタン８４ａ，８３ｂ，８１ａと同様の機能を持つ。これらのファンクションボタン８８ｃ，８８ｄ，８８ｆを使用することで、サブ画面として、第１の処理設定画面７５を表示していなくても、上記設定を行うことができるので、設定操作がしやすい。
【００５５】
また、各ファンクションボタン８８ａ〜８８ｆの機能は、注文情報設定画面７１を表示した時と、後述する検定画面９１を表示した時とで自動的に切り替えられるようになっている。図１２（Ｂ）は、検定画面を表示した時の各ファンクションボタン８８ａ〜８８ｆの第１及び第２の各機能を示す。ファンクションボタン８８ｂ，８８ｃ，８８ｄの各ボタンには、第１機能として、選択した１つのコマ画像を回転させる回転機能、倍率指定機能、シャープネス処理指定機能のそれぞれの機能が割り当てられており、第２機能として、表示されてすべてのコマ画像を一括して回転させる一括回転機能、表示されたすべてのコマ画像をプリントせずにパスする一括ＰＡＳＳ機能、選択されたコマを移動するコマ移動機能のそれぞれの機能が割り当てられている。
【００５６】
また、ファンクションボタン８８ｆの右横には、オーダー選択ボタン８８ｇが設けられている。オーダー選択ボタン８８ｇは、複数のオーダー（注文）の画像データが取り込まれている場合に、作業を行う注文を選択するボタンである。
【００５７】
注文情報設定画面７１では、システム情報バー３３に、ステータスボタン３３ａ及びペーパ巻き戻しボタン３３ｂに加えて、プリントサイズ選択ボタン３３ｃ，オートプリントアイコン３３ｄ，前画面へ復帰する復帰ボタン３３ｅが表示される。また、メインウインドウ７３で指定した各種の情報のうち、フイルム種別（「２４０」），フイルム送り方式（「半自動」），仕上がり条件ファイル（「００」）の情報が表示される。プリントサイズ選択ボタン３３ｃは、注文入力画面７４に設けられたプリントサイズ選択ボタン７９ａと同様の機能を持つ。
【００５８】
オートプリントアイコン３３ｄは、制御装置４に他の画像入力機からのプリント要求が入力された場合に、その旨をオペレータに通知するためのアイコンである。写真プリントシステム２は、入力機８とは異なる別の入力機を接続することが可能であり、１台の出力機９を複数の入力機８で共用することができる。オペレータは、アイコンの表示を見て、他の入力機からのプリント要求の有無を確認し、要求がある場合には、そのプリント要求に対するプリント指示を出力機９へ与える。上述したとおり、プリント作業（フイルムからのプリント）においては、６コマ毎にプリント処理が実行されるから、出力機９がフルに稼働している訳ではない。出力機９は、その合間を利用して他の入力機からのプリント要求を処理することができる。こうすることで、出力機９の利用効率を向上させている。
【００５９】
注文情報設定画面７１で、共通情報の設定が終了した後、写真フイルムスキャナ３に写真フイルムをセットすると、自動的にフイルム１本分のコマのプレスキャンが開始され、しかる後、画面が自動的に、図１３に示す検定画面９１に切り替わって、６つのコマ画像がその検定画面９１に表示される。
【００６０】
この検定画面９１は、各コマ毎の処理条件を設定する個別情報設定画面である。検定画面９１は、前記注文情報設定画面７１と別の画面で構成されている。このように、設定する情報の種類（各コマに共通な処理条件や各コマ毎に個別の処理条件など）に応じて、画面を別々に設けることで、設定する情報や入力手順が視覚的に分かるようになるので、オペレータの熟練度が低い場合でも、設定のし忘れなどの設定ミスを軽減することができる。
【００６１】
検定画面９１のメインウインドウ９２には、プレスキャンされたコマ画像が６コマずつ並べて表示される。各コマ表示領域９２ａ〜９２ｆには、それぞれ、指定されたプリント枚数，色補正値（Ｃ，Ｍ，Ｙ），濃度補正値（Ｄ）が表示される。
【００６２】
各コマ表示領域９２ａ〜９２ｆのいずれかには、カーソル９３が表示される。このカーソル９３を所望のコマ表示領域に合わせると、そのコマ表示領域では、前記プリント枚数，色補正値（Ｃ，Ｍ，Ｙ），濃度補正値（Ｄ）の各値の変更が可能になる。図上、カーソル９３は、コマ表示領域９２ａに表示されており、この状態で、例えば、キーボードから数値を入力することで、値を変更することができる。また、各値が表示されたボックスにポインタ２４を合わせてクリックすると、そのボックスが拡大表示されるとともに上下の各矢印ボタンが表示される。そして、この矢印ボタンをクリックすると各補正値やプリント枚数が変更される。
【００６３】
この検定画面９１で指定されたプリント枚数は、前記注文情報設定画面７１で設定された値に優先して適用される。例えば、前記注文情報設定画面７１でプリント枚数を１枚に指定した後、この検定画面９１であるコマ画像に対して、そのプリント枚数を２枚に指定した場合には、当該コマ画像については、プリント枚数が２枚に指定される。他のコマ画像に関しては、前記注文情報設定画面７１で指定されたプリント枚数（１枚）が適用される。
【００６４】
各コマ画像内には、プリント範囲を示す範囲表示枠が表示される。この範囲表示枠により、プリントサイズに応じたプリント範囲を視覚的に確認できるようにしている。また、検定画面９１において、各コマ毎に、縁有りプリントか、縁無しプリントかを視覚的に確認できるようにしてもよい。
【００６５】
上述したとおり、検定画面９１においては、各ファンクションボタン８８ａ〜８８ｆのうち、３つのファンクションボタン８８ｂ，８８ｃ，８８ｄにそれぞれ画像回転機能、倍率機能，シャープネス処理指定機能が割り当てられている。これらのファンクションボタン８８ｂ，８８ｃ，８８ｄをクリックすると、その指定が、カーソル９３によって選択されているコマ画像に対して適用される。これによりコマ画像毎に処理条件を指定することができる。また、第２機能として割り当てられた一括回転機能，一括ＰＡＳＳ機能を使用した場合には、表示された６つのコマ画像に対して一括指定することができる。
【００６６】
検定確定ボタン８８ｈは、検定画面９１で設定した各種の処理条件を確定するとともに、プリント処理を指示するボタンであり、フイルム送り方式として、「半自動」が選択されている場合に表示される。この検定確定ボタン８８ｈをクリックすると、表示された６コマの処理条件が確定し、それらのコマのファインスキャンが開始されて画像取り込みが行われる。そして、取り込まれた画像データに対して、設定された処理条件に基づいて画像処理が施されて出力用画像データが作成される。この出力用画像データは、出力機９に送られる。出力機９は、受信した６コマ分の出力用画像データに基づいてプリント処理を実行し、写真プリントを作成する。この検定確定ボタン８８ｈの代わりに、キーボードのＥＮＴＥＲキーを押下しても同様の処理が実行される。
【００６７】
また、検定画面９１では、システム情報バー３３に、コマ操作ボタン３３ｇ，画像補正ボタン３３ｈ，パスボタン３３ｉ，ページ切り替えボタン３３ｊが追加される。コマ操作ボタン３３ｇをクリックすると、小窓が開き、この小窓に画像回転，一括画像回転，一括ＰＡＳＳなどの指定をする各ボタンが表示される。これらの機能は、各ファンクションボタン８８ｂ，８８ｃ，８８ｄの第２機能と同一の機能である。
【００６８】
画像補正ボタン３３ｈは、各種の画像処理条件を指定するためのもので、この画像補正ボタン３３ｈをクリックすると、小窓が開き、そこで、前記第１処理設定画面７５内の第１及び第２の画像処理条件設定領域８１，８２で設定可能な各種の設定（例えば、キズ消し，モノトーン仕上げなど）を行うことができる。これらの設定は、カーソル９３で選択された１つのコマに対してのみ指定されるもので、すべてのコマに対して適用されるものではない。また、この検定画面９１でなされた指定は、注文情報設定画面７１における指定に優先して適用される。
【００６９】
パスボタン３３ｉは、プリント処理をパスさせる（プリントしない）指定を行うボタンである。ページ切り替えボタン３３ｊは、表示されるコマを切り替えるボタンであり、このボタン３３ｊをクリックすると、現在表示された６コマが、前又は後の６コマの画像に切り替わる。
【００７０】
ここでは、最も頻繁に行われるサービスである「フイルムからプリント」サービスを例に説明してきたが、他のサービスを選択した場合でも、まず、注文情報設定画面が表示された後、必要に応じて検定画面が表示される。
【００７１】
以下、「フイルムからプリント」サービスを例に、図１４に示すフローチャートに従って、プリント作業手順を説明する。プリント作業をする場合には、初期画面３１で、プリント作業を選択する。すると、サービス種選択画面６１が表示される。サービス選択ボタン６２ａをクリックして、「フイルムからプリント」サービスを選択すると、注文情報設定画面７１が表示される。
【００７２】
オペレータは、この注文情報設定画面７１において、各種の共通情報を設定する。ここで、設定された指定は、１オーダー内のすべてのコマに適用される。
共通情報の設定が終了した場合には、フイルムをスキャナにセットする。すると、自動的にフイルム１本分のプレスキャンが実行されるとともに、画面が注文情報設定画面７１から検定画面９１へ切り替わる。この検定画面９１においては、６コマ毎にコマ画像が表示され、これら各コマ毎の処理条件が設定される。このコマ毎に設定された処理条件と、共通情報とに矛盾がある場合には、共通情報に優先してコマ毎の処理条件が適用される。
【００７３】
６コマの処理条件の設定が終了したら、検定確定ボタン８８ｈをクリックする。すると、当該６コマのファインスキャンが開始されるとともに、取り込まれた画像データに前記処理条件に基づいて画像処理が施される。処理済みの出力用画像データが出力機９へ送られてプリント処理が実行される。同様の手順で以降のコマを処理し、すべてのコマの処理が終了したらプリント作業を終了する。
【００７４】
なお、上記例では、操作画面からのコマンド入力手段として、マウス及びキーボードを使用しているが、この他、コマンド入力手段として、タッチパネル式のディスプレイを使用してもよい。
【００７５】
なお、上記例のデジタルプリントシステムでは、入力機としてフイルムスキャナを使用し、写真フイルムから画像を読み取って画像データの取り込みをする例で説明したが、入力機としては、フイルムスキャナの他に、例えば、原稿から画像を読み取る反射原稿スキャナやメモリーカードから画像データを読み取るカードリーダなどを使用してもよい。
【００７６】
上記例のデジタルプリントシステムのプリンタは、カラーペーパに画像をレーザー光で記録するレーザプリンタを使用しているが、サーマルプリンタ，インクジェットプリンタ等を使用してもよい。
【００７７】
【発明の効果】
以上詳細に説明したように、本発明は、写真プリントシステム用制御装置の操作画面に、特定の機能が割り当てられた複数の専用ボタンを設け、これら各専用ボタンに割り当てられる機能を変更できるようにしたから、ファンクションボタンをユーザーが自由にカスタマイズすることができる。
【００７８】
また、複数の各専用ボタン毎に異なる種類の複数の機能を割り当て可能にするとともに、操作画面に、前記複数の機能を選択的に切り替える切り替えボタンを設けたから、マウス操作を中心に作業を行う場合でも操作がしやすい。
【図面の簡単な説明】
【図１】写真プリントシステムの構成図である。
【図２】制御装置の構成図である。
【図３】操作画面の構成図である。
【図４】初期画面の説明図である。
【図５】始業点検画面の説明図である。
【図６】終業点検画面の説明図である。
【図７】サービス種選択画面の説明図である。
【図８】注文情報設定画面の説明図である。
【図９】第１処理設定画面を選択した場合の注文情報設定画面の説明図である。
【図１０】第２処理設定画面を選択した場合の注文情報設定画面の説明図である。
【図１１】ファンクションキー及びボタンの定義ファイルの説明図である。
【図１２】ファンクションボタンの第１及び第２の各機能の説明図である。
【図１３】検定画面の説明図である。
【図１４】プリント作業手順を示すフローチャートである。
【符号の説明】
２　写真プリントシステム
４　制御装置
１１　システムコントローラ
１３　ストレージ
１７　操作部
１８　ディスプレイ
２１　キーボード
２２　マウス
７１　注文情報設定画面
８８ａ，８８ｂ，８８ｃ，８８ｄ，８８ｅ，８８ｆ　ファンクションボタン
８７　定義ファイル
９１　検定画面
【図１】
2004112690.tif 000003
【図２】
2004112690.tif 000004
【図３】
2004112690.tif 000005
【図４】
2004112690.tif 000006
【図５】
2004112690.tif 000007
【図６】
2004112690.tif 000008
【図７】
2004112690.tif 000009
【図８】
2004112690.tif 000010
【図９】
2004112690.tif 000011
【図１０】
2004112690.tif 000012
【図１１】
2004112690.tif 000013
【図１２】
2004112690.tif 000014
【図１３】
2004112690.tif 000015
【図１４】
2004112690.tif 000016